(57)【要約】【課題】  トラックレベルの細かさで偏心の生じていない複数の記録層を有する多層光ディスク、並びに、このような多層光ディスクの製造方法を提供する。【解決手段】  複数の記録層を有する多層光ディスクの製造方法であって、第１記録層を有するディスク基板１０を形成する基板形成（ａ）と、第１記録層の上に透明層を形成する透明層形成工程（ｂ）と、レーザ照射により状態を変化させる記録膜を透明層の上に形成する記録膜形成工程（ｄ）と、ディスク基板１０を回転させながら記録膜にレーザ照射を行って第２記録層の型成形或いはマーク形成を行うレーザ成形工程（ｅ）と、第２記録層の型成形或いはマーク形成のされた記録膜上に透明層を形成するＰＣ膜形成工程（ｇ）とを含み、レーザ成形工程は、ディスク基板１０に１つの対物レンズ２３を介して２つのレーザ光を照射するとともに、第１レーザ光の反射光によりトラッキングサーボ制御を行い、このサーボ制御に連動させて第２レーザ光により記録膜の型成形又はマーク形成を行う方法とした。【選択図】        図１
2007149153.tif 000002
【特許請求の範囲】
【請求項１】
波長の異なるレーザ光によりそれぞれデータの読出し又は書込みがなされる複数の記録層を有する多層光ディスクの製造方法であって、
第１記録層を有するディスク基板を形成する第１工程と、
前記第１記録層の上に透明層を形成する第２工程と、
レーザ照射により状態を変化させる記録膜を前記透明層の上に形成する第３工程と、
前記ディスク基板を回転させながら前記記録膜にレーザ照射を行って第２記録層の型成形或いはマーク形成を行う第４工程と、
前記第２記録層の型成形或いはマーク形成のされた記録膜上に透明層を形成する第５工程とを含み、
前記第４工程は、
前記ディスク基板に１つの対物レンズを介して第１レーザ光と第２レーザ光とを照射するとともに、
前記第１レーザ光の反射光の検出により該第１レーザ光の焦点を前記第１記録層のトラックに合うように前記対物レンズのフォーカス方向とトラッキング方向のサーボ制御を行う第１ステップと、
この第１ステップの後に前記第２レーザ光の反射光の検出により該第２レーザ光の焦点が前記記録膜に合うようにフォーカス方向のサーボ制御を行う第２ステップと、
この第２ステップの後或いは該第２ステップと並行して対物レンズをトラッキング方向にオフセット移動させる第３ステップと、
この第３ステップの後或いは該第３ステップと並行して前記第２レーザ光により前記記録膜の型成形或いはマーク形成を行う第４ステップとを含み、
前記第１ステップ〜第４ステップを繰り返し行うことを特徴とする多層光ディスクの製造方法。
【請求項２】
複数の記録層を有する多層光ディスクの製造方法であって、
第１記録層を有するディスク基板を形成する第１工程と、
前記第１記録層の上に透明層を形成する第２工程と、
レーザ照射により状態を変化させる記録膜を前記透明層の上に形成する第３工程と、
前記ディスク基板を回転させながら前記記録膜にレーザ照射を行って第２記録層の型成形或いはマーク形成を行う第４工程と、
前記第２記録層の型成形或いはマーク形成のされた記録膜上に透明層を形成する第５工程とを含み、
前記第４工程は、
前記ディスク基板に１つの対物レンズを介して第１レーザ光と第２レーザ光とを照射するとともに、
前記第１レーザ光の反射光の検出により当該第１レーザ光が前記第１記録層のトラックに合うように前記対物レンズのトラッキング方向のサーボ制御を行い、このサーボ制御に連動させて前記第２レーザ光を前記記録膜に集束させて第２記録層の型成形又はマーク形成を行うことを特徴とする多層光ディスクの製造方法。
【請求項３】
前記第４工程は、
前記第１レーザ光の反射光の検出により該第１レーザ光の焦点を前記第１記録層のトラックに合うように前記対物レンズのフォーカス方向とトラッキング方向のサーボ制御を行う第１ステップと、
この第１ステップの後に前記第２レーザ光の反射光の検出により該第２レーザ光の焦点が前記記録膜に合うようにフォーカス方向のサーボ制御を行う第２ステップと、
この第２ステップのフォーカス方向のサーボ制御を維持したまま前記第２レーザ光により前記記録膜の型成形又はマーク形成を行うレーザ記録ステップとを含み、
これら第１ステップと第２ステップとレーザ記録ステップとを繰り返し行う工程であることを特徴とする請求項２記載の多層光ディスクの製造方法。
【請求項４】
前記第４工程は、
前記第２ステップの後或いは該第２ステップと並行して対物レンズをトラッキング方向にオフセット移動させる第３ステップを含み、
この第３ステップの後或いは該第３ステップと並行して前記レーザ記録ステップが実行されることを特徴とする請求項３記載の多層光ディスクの製造方法。
【請求項５】
前記第１記録層と前記第２記録層とは互いに波長の異なるレーザ光によりデータの読出し又は書込みがなされる種類の異なる記録層であることを特徴とする請求項２〜４の何れかに記載の多層光ディスクの製造方法。
【請求項６】
第１記録層と第２記録層とを有する多層光ディスクであって、
前記第２記録層のトラックが、第１記録層に形成されたトラックを基準とした所定位置に形成されていることを特徴とする多層光ディスク。
【請求項７】
上面から前記第１記録層のトラックと前記第２記録層のトラックとを重ねて見たときに、第１記録層のトラックが、第２記録層の隣接する２つのトラックの間に一定値±１本の誤差で形成されていることを特徴とする請求項６に記載の多層光ディスク。
【発明の詳細な説明】
【技術分野】
【０００１】
この発明は、複数の記録層を有する多層光ディスクならびにその製造方法に関する。
【背景技術】
【０００２】
一般に、２つの記録層を有する光ディスクとしてＤＶＤ（デジタル多用途ディスク）などが知られている。また、ＣＤ（コンパクトディスク）の記録層とＨＤ−ＤＶＤ（高密度デジタル多用途ディスク）の記録層とが形成されたハイブリッドディスクや、ＤＶＤの記録層と青紫レーザ用ディスクの記録層とが形成されたハイブリッドディスクなども開発されている。
【０００３】
従来、複数の記録層を備えた光ディスクは、第１記録層の形成されたディスク板と第２記録層の形成されたディスク板とを透明な樹脂で貼り合わせることで製造されていた。また、従来、このように２枚のディスク板を各記録層が互いに偏心しないように貼り合わせる技術について、幾つかの提案がなされている（例えば特許文献１〜３）。
【特許文献１】特開２００３−１２３３３１号公報
【特許文献２】特開２００２−３２９３３１号公報
【特許文献３】特開２００２−０９２９３９号公報
【発明の開示】
【発明が解決しようとする課題】
【０００４】
２枚のディスク板を貼り合わせることで２つの記録層を形成する光ディスクでは、幾ら偏心を少なくしたとしても、記録層のトラックレベルの細かさで見たときには、数十トラック分のずれが生じているなど偏心は無くなっていない。
【０００５】
トラックレベルの細かさで偏心を無くすことが出来れば、第１記録層のデータと第２記録層のデータとをトラックの位置に対応させて関連づけることが出来る。そして、データリードの際に１つの対物レンズから２波長のレーザ光を出射させて、一方のレーザ光の焦点を第１記録層に合わせ、他方のレーザ光の焦点を第２記録層に合わせるなどして、トラック位置に対応して関連付けられた両方の記録層のデータをほぼ同時に読み出すことが可能となる。或いは、第１記録層のデータリードからフォーカス駆動を行うだけで連続的に第２記録層のデータリードを行うなどして、トラック位置に対応して関連付けられた両方の記録層のデータを同期させて読み出すことが可能となる。
【０００６】
そして、このような構成により、多層光ディスクの効果的な種々のデータアクセス手法の開発が期待できる。例えば、第１記録層にコンテンツデータを格納する一方、第２記録層にコンテンツデータの時間位置を示すインデックスデータを格納し、これらコンテンツデータとインデックスデータとをトラック位置により対応づけておくことで、データアクセス先の移動の際に上記インデックスデータを頼りに移動させることで、コンテンツデータのアクセス先を高速に移動させることが可能となる。
【０００７】
或いは、第１記録層にセクタ毎に暗号化されたデータを格納する一方、第２記録層に上記セクタデータの暗号キーコードを格納するとともに、これらセクタデータと暗号キーコードとをトラック位置により対応づけて、これらをほぼ同時に読み込むことでデータの複合を可能とすることで、容易なディスクコピーを防止する技術を実現できる等々である。
【０００８】
この発明は、上記実情に鑑みてなされたもので、トラックレベルの細かさで偏心の生じていない複数の記録層を有する多層光ディスク、並びに、このような多層光ディスクの製造方法を提供することを目的としている。
【課題を解決するための手段】
【０００９】
本発明は、上記目的を達成するため、複数の記録層を有する多層光ディスクの製造方法であって、第１記録層を有するディスク基板を形成する第１工程と、前記第１記録層の上に透明層を形成する第２工程と、レーザ照射により状態を変化させる記録膜を前記透明層の上に形成する第３工程と、前記ディスク基板を回転させながら前記記録膜にレーザ照射を行って第２記録層の型成形或いはマーク形成を行う第４工程と、前記第２記録層の型成形或いはマーク形成のされた記録膜上に透明層を形成する第５工程とを含み、前記第４工程は、前記ディスク基板に１つの対物レンズを介して第１レーザ光と第２レーザ光とを照射するとともに、前記第１レーザ光の反射光の検出により当該第１レーザ光が前記第１記録層のトラックに合うように前記対物レンズのトラッキング方向のサーボ制御を行い、このサーボ制御に連動させて前記第２レーザ光を前記記録膜に集束させて第２記録層の型成形又はマーク形成を行う方法とした。
【００１０】
このような多層光ディスクの製造方法によれば、第２記録層におけるデータピット或いはビーム案内溝の形成を、第１記録層のトラックの位置を基準に位置合わせした状態で行うことが出来る。従って、第１記録層と第２記録層との偏心誤差をトラックレベルの大きさで制御することが可能となる。
【００１１】
具体的には、前記第４工程は、前記第１レーザ光の反射光の検出により該第１レーザ光の焦点を前記第１記録層のトラックに合うように前記対物レンズのフォーカス方向とトラッキング方向のサーボ制御を行う第１ステップと、この第１ステップの後に前記第２レーザ光の反射光の検出により該第２レーザ光の焦点が前記記録膜に合うようにフォーカス方向のサーボ制御を行う第２ステップと、この第２ステップのフォーカス方向のサーボ制御を維持したまま前記第２レーザ光により前記記録膜の型成形又はマーク形成を行うレーザ記録ステップとを含み、これら第１ステップと第２ステップとレーザ記録ステップとが繰り返し行われるものである。
【００１２】
対物レンズに複数のレーザ光を入射させた場合、レーザ光の波長により対物レンズの焦点距離が異なってくる。或いは、対物レンズより前段で一方のレーザ光が透過するコリメータレンズの曲率を異ならせることで、対物レンズから焦点までの距離を２つのレーザ光で互いに異ならせることが出来る。そして、各レーザ光の焦点距離の差を２つの記録層の層間距離に合わせることで、第１レーザ光の焦点を第１記録層に合わせた状態で、第２レーザ光の焦点を記録膜に合わせて第２記録層の形成を行わせることが出来る。しかしながら、透明層の厚みや２つのレーザ光の焦点距離の差異量には若干の誤差が生じるので、上記手段のように、第２記録層を形成する際に、第２レーザ光によりフォーカスサーボをかけることで、第２記録層の正確な形成が可能となる。
【００１３】
また具体的には、前記第４工程は、前記第２ステップの後或いは該第２ステップと並行して対物レンズをトラッキング方向にオフセット移動させる第３ステップを含み、この第３ステップの後或いは該第３ステップと並行して前記レーザ記録ステップが実行されるようにしても良い。
【００１４】
第１記録層と第２記録層の種類を、例えばＨＤ−ＤＶＤ用とＣＤ用などと異ならせる場合、各記録層のトラックピッチは異なることとなる。従って、上記のオフセット移動により第１記録層のトラック位置を基準としてトラックピッチの異なる第２記録層のトラック位置に第２レーザ光の焦点を合わせて、この第２記録層のトラックの形成を行うことが出来る。
【００１５】
また、本発明の多層光ディスクは、第１記録層と第２記録層とを有する多層光ディスクであって、前記第２記録層のトラックが、第１記録層に形成されたトラックを基準とした所定位置に形成されているものである。また、上面から前記第１記録層のトラックと前記第２記録層のトラックとを重ねて見たときに、第１記録層のトラックが、第２記録層の隣接する２つのトラックの間に一定値±１本の誤差で形成されているものとなる。
【００１６】
このような多層光ディスクによれば、第１記録層のデータと第２記録層のデータとをそれぞれのトラック位置により対応づけることが可能であり、さらに、これら対応付けられた各記録層のデータを同時に或いは同期させて読み出すことが可能となる。そして、このような構成により、上述した多層光ディスクの効果的な種々のデータアクセス手法を適用することが出来る。
【発明の効果】
【００１７】
本発明の多層光ディスクの製造方法によれば、各記録層の偏心がトラックレベルの大きさで生じていない多層光ディスクを製造することが出来る。
【００１８】
また、本発明の多層光ディスクによれば、複数の記録層がトラックレベルの細かさで偏心を生じていないので、第１記録層のデータと第２記録層のデータとをトラック位置により対応づけることが出来るとともに、これら対応づけられた第１記録層のデータと第２記録層のデータとを同時に或いは同期させて読み出すことが可能となる。そして、このような特殊なデータリードが可能となることで、多層光ディスクの効果的な種々のデータアクセス手法を適用することが可能となる。
【発明を実施するための最良の形態】
【００１９】
以下、本発明の実施の形態を図面に基づいて説明する。
図１は、本発明の実施の形態の多層光ディスクの製造工程を示すフロー図である。
この実施の形態の多層光ディスクの製造方法は、第１記録層にＨＤ−ＤＶＤ用の記録層を、第２記録層にＣＤ用の記録層を設けた多層光ディスクを製造するものである。
【００２０】
この実施の形態の多層光ディスクの製造工程においては、まず、図１（ａ）の基板形成工程により、金型２０にポリカーボネイト等の合成樹脂を流しこんで射出成形することにでディスク基板１０を成形する。この金型２０には、光ディスクの記録面に形成させるデータピット或いはビーム案内溝の型が形成されたスタンパ２１が設けられ、ディスク基板１０の上面には第１記録層となるＨＤ−ＤＶＤ用のデータピット或いはビーム案内溝が型成形される。
【００２１】
続いて、図１（ｂ），（ｃ）の各工程により、ディスク基板１０の上面にスパッタ処理等で反射膜として金属膜を形成し、次いで、第１記録層と第２記録層との層間を埋める透明層を形成する。透明層は、例えば紫外線硬化樹脂などをスピンコート法によりディスク基板１０上に均一に広げて紫外線照射により硬化させるなどして形成する。
【００２２】
次に、図１（ｄ）の工程により、レーザ光により状態を変化させる記録膜をディスク基板１０上に形成する。記録膜は、例えば色素や、レーザ光の熱で変形する樹脂などを用いることができ、スピンコート法等によりディスク基板１０上に均一に広げることで形成する。
【００２３】
記録膜が形成されたら、図１（ｅ）のレーザ成形工程により、ディスク基板１０を回転させながら対物レンズ２３を介してレーザ光を照射することで、ディスク基板１０上の第２記録層となる記録膜にＣＤ用のデータピット或いはビーム案内溝を成形する。
【００２４】
図２は、レーザ成形工程における対物レンズとレーザ光とディスクの関係を示す概略図、図３は、レーザ成形工程の詳細な処理の流れを示すフローチャート、図４は、第１記録層のトラックと第２記録層のトラックとの関係を示す説明図である。
【００２５】
レーザ成形工程においては、図２に示すように、１つの対物レンズ２３を通して２種類のレーザ光ＢＭ１，ＢＭ２をディスク板１０Ａに照射する。このとき、ディスク板１０Ａ上には透明層１１および記録膜１２が形成されている。
【００２６】
レーザ成形を行う装置は、光ディスクの記録再生装置とほぼ同様の構成であり、ディスク板１０Ａを回転させるスピンドル機構と、レーザ光を照射するレーザ照射装置と、レーザ照射装置をディスク板の半径方向にスライド移動させるスライド機構等を備えている。上記スピンドル機構には、ディスク板１０Ａの回転速度を制御するサーボ機構と、ディスク板１０Ａの回転角度を検出するエンコーダ機構などが設けられている。
【００２７】
また、レーザ照射装置には、２種類のレーザ光を出力する２種類の光源と、これらレーザ光を光ディスクに集束させる対物レンズ２３と、この対物レンズ２３をフォーカス方向およびトラッキング方向に微小変位させるレンズアクチュエータと、２種類のレーザ光を光源から対物レンズ２３まで導く光学系と、２種類のレーザ光の反射光をその波長或いは偏向により分離させるビームスプリッタと、２種類のレーザ光の反射光をそれぞれ検出する光センサとを備えている。そして、各レーザ光の反射光の検出信号に基づきレーザ光の焦点が対象物に合っているか否かを示すフォーカスエラー信号や、第１レーザ光ＢＭ１が第１記録層のトラックから外れていないかを示すトラッキングエラー信号が生成されるようになっている。これらレーザ照射装置の各構成は光ディスクのピックアップ装置の分野において周知の技術と同様のものである。
【００２８】
また、このレーザ照射装置においては、２種類のレーザ光として波長の異なるレーザ光を用いることで、第１レーザ光ＢＭ１と第２レーザ光ＢＭ２の焦点距離を異ならせ、且つ、この焦点距離の差が第１記録層と第２記録層との層間距離とほぼ同一になるように構成されている。或いは、第１レーザ光ＢＭ１と第２レーザ光ＢＭ２とが別々に透過する２つのコリメータレンズの曲率をそれぞれ異ならせることで、上記の焦点距離の差を発生させるようにしても良い。
【００２９】
図１（ｅ）のレーザ成形工程においては、図３のフローチャートに示すように、先ず、上記スピンドル機構によりディスク板１０Ａを回転させ（ステップＳ１）、そのまま上記のレーザ照射装置を作動させてディスク板１０Ａの上面部にレーザ光ＢＭ１，ＢＭ２を照射する（ステップＳ２）。なお、この実施の形態では、レーザ光ＢＭ１，ＢＭ２をディスク板１０Ａの上面側から入射しているが、ディスク板１０Ａの下面側から入射するようにしても良い。
【００３０】
レーザ光を照射したら、第１レーザ光ＢＭ１のフォーカスエラー信号とトラッキングエラー信号に基づき対物レンズ２３のフォーカスサーボおよびトラッキングサーボをかけて、第１レーザ光ＢＭ１の焦点が第１記録層のトラックを追従するようにさせる（ステップＳ３）。
【００３１】
第１レーザ光ＢＭ１を第１記録層のトラックに追従させたら、次いで、第２レーザ光ＢＭ２のフォーカスエラー信号に基づき対物レンズ２３のフォーカスサーボをかけて、第２レーザ光ＢＭ２の焦点を記録膜１２に合わせる（ステップＳ４）。続いて、対物レンズ２３のトラッキング方向のアクチュエータに対して対物レンズ２３を所定量だけ変位させるようにオフセット信号を与える（ステップＳ５）。
【００３２】
このトラッキング方向のオフセットは、図４に示すように、ＣＤ用記録層のトラックピッチと、ＨＤ−ＤＶＤ用記録層のトラックピッチとの違いを補正するために行うものである。そして、第１記録層のトラッキングサーボによりＨＤ−ＤＶＤ用のトラックにレーザ光の焦点が合った状態から、ＨＤ−ＤＶＤ用のトラックからＣＤ用のトラックの中心線までの変位量を求めて、この変位量に応じたオフセット信号をアクチュエータに出力することで行う。さらに、この変位量は、図４に示すように、ディスク板１０Ａの回転角度によって異なってくるため、この回転角度に応じたオフセット信号をスピンドル機構の回転角度の検出値に応じて出力していくことで、レーザ光の焦点がＣＤ用のトラックの中心線に沿ってトレースするように移動される。
【００３３】
そして、このようなオフセット処理を、ディスク板１０Ａが所定数（例えば２回転）回転する期間続ける。それにより、レーザ光の焦点がＣＤ用のトラックの中心線を所定回転分トレースするように移動される。
【００３４】
そして、このＣＤ用のトラックのトレース期間中に、第２レーザ光ＢＭ２の強度を変化させて記録膜１２の状態を変化させデータピット或いはビーム案内溝を形成する（ステップＳ６）。
【００３５】
所定回数分のトレースが終了したら、全てのトラックの処理が完了したか確認し（ステップＳ７）、まだ完了していなければステップＳ３に戻って、続くトラックについてステップＳ３〜Ｓ６の処理を繰り返す。そして、全てのトラックの処理が完了したら、このレーザ成形工程を終了する。
【００３６】
このようなレーザ成形工程により、第１記録層のトラックと第２記録層のトラックとの偏心がほぼ無くなるように、第１記録層のトラックを基準としたトラック位置に第２記録層のＣＤ用のデータピット或いはビーム案内溝が形成される。
【００３７】
記録膜上のレーザ成形が完了したら、図１（ｆ），（ｇ）の各工程により、上記記録膜の上に反射膜として金属膜を形成し、次いで、この金属膜の上に保護層を形成する。保護層はポリカーボネイトなどの樹脂を射出成形等によりディスク基板１０上に形成したり、硬化樹脂をスピンコート等によりディスク基板１０上に塗布して硬化させることで形成することが出来る。
【００３８】
そして、このような多層光ディスクの製造方法により、第１層にＨＤ−ＤＶＤ用の記録層が形成され、第２層にＣＤ用の記録層が形成され、且つ、これら第１記録層のトラックと第２記録層のトラックとがトラックレベルの細かさで見たときでも偏心の生じていない多層光ディスクが製造される。
【００３９】
上記製造方法により製造された多層光ディスクは、図４に示すように、各記録層のトラックをその中心線で表わしてディスク上面から各記録層のトラックを重ねて見たときに、トラックピッチの大きな記録層の隣接するトラックの間に、トラックピッチの小さな記録層のトラックが一定数（例えば５本）±１本の精度で形成されたものとなる。
【００４０】
そして、このような多層光ディスクにより、第１記録層のデータと第２記録層のデータとをそれらのトラック位置により対応づけることが可能であり、さらに、ディスク記録再生装置において、これらトラック位置により対応づけられた各記録層のデータを同時に或いは同期させて読み出すことが出来る。
【００４１】
そして、このようなデータフォーマットおよびデータリード法により、例えば、第１記録層にコンテンツデータを格納する一方、第２記録層にコンテンツデータの時間位置を示すインデックスデータを格納しておくことで、コンテンツデータのアクセス先移動の際にインデックスデータを頼りに移動させることで高速な移動を可能としたり、或いは、第１記録層にセクタ毎に暗号化されたデータを格納する一方、第２記録層に上記セクタデータの暗号キーコードを格納し、さらに、ディスク再生装置にこれらをほぼ同時に読み込すことで暗号データの複合を可能とする機能を付加することで、容易なディスクコピーを防止する技術を実現するなど、効果的な種々のデータアクセス手法を適用することが出来る。
【００４２】
なお、本発明は、上記実施の形態に限られるものではなく、様々な変更が可能である。例えば、上記の実施の形態では、第１記録層と第２記録層とを異なる種類としているが、これらを同一種類の記録層としても良い。この場合、第１記録層と第２記録層のトラックピッチは同一となるので、上記レーザ成形工程のオフセット処理は不要となる。
【００４３】
また、上記の実施の形態では、第１記録層をＨＤ−ＤＶＤ用の記録層、第２記録層をＣＤ用の記録層としているが、逆に、第１記録層をＣＤ用の記録層、第２記録層をＨＤ−ＤＶＤ用の記録層としても良い。この場合、レーザ成形工程でのオフセット処理は、ＣＤ用のトラックを基準位置としてＨＤ−ＤＶＤ用のトラックピッチで変位していくオフセット信号を加えるようにすれば良い。
【００４４】
また、上記の実施の形態では、記録膜にレーザ成形をしてから反射膜を形成しているが、金属膜を形成した後に記録膜をレーザで成形したり、或いは、金属膜自体をレーザ成形するようにしても良い。また、本発明の光ディスクの製造方法は、図１の各工程のみを含む方法に限られず、例えば、各工程の間に付加的な膜を形成する工程を挿入しても良い。その他、実施の形態で具体的に示した細部の構造および方法は発明の趣旨を逸脱しない範囲で適宜変更可能である。
【図面の簡単な説明】
【００４５】
【図１】本発明の実施の形態の多層光ディスクの製造工程を示すフロー図である。
【図２】レーザ成形工程における対物レンズとレーザ光とディスクの関係を示す概略図である。
【図３】レーザ成形工程の詳細な処理の流れを示すフローチャートである。
【図４】第１記録層のトラックと第２記録層のトラックとの関係を示す説明図である。
【符号の説明】
【００４６】
１０      ディスク基板
１０Ａ    ディスク板
１１      透明層
１２      記録膜
２１      スタンパ
２３      対物レンズ
ＢＭ１，ＢＭ２  レーザ光
【図１】
2007149153.tif 000003
【図２】
2007149153.tif 000004
【図３】
2007149153.tif 000005
【図４】
2007149153.tif 000006